(57)【要約】  従来よりも、ゴムとの接着性に優れた金属コード、金属コード−ゴム複合体およびコンベヤベルトを提供する。  複数本の金属フィラメント１１が撚り合わされてなる金属コード１０において、最外層を構成する金属フィラメント１１の表面に亜鉛めっき層１６が形成されてなり、亜鉛めっき層１６の表面における、（００２）面と（１０２）面の結晶配向度が１２０未満である。
2019240190.tif 000002
【特許請求の範囲】
【請求項１】
複数本の金属フィラメントが撚り合わされてなる金属コードにおいて、
最外層を構成する前記金属フィラメントの表面に亜鉛めっき層が形成されてなり、前記亜鉛めっき層表面の、（００２）面および（１０２）面の下記式（１）および（２）、
Ｆ（００２）＝（Ｒ１（００２）／Ｒ０（００２））×１００（％）    （１）
Ｆ（１０２）＝（Ｒ１（１０２）／Ｒ０（１０２））×１００（％）    （２）
（ここで、式（１）中の、Ｒ０（００２）は、無配向の亜鉛のピーク強度（００２）面の回折強度＝２２．１であり、Ｒ１（００２）は、評価サンプルの亜鉛のピーク強度（００２）面の回折強度であり、式（２）中、Ｒ０（１０２）は、無配向の亜鉛のピーク強度（１０２）面の回折強度＝８．４あり、Ｒ１（１０２）は、評価サンプルの亜鉛のピーク強度（１０２）面の回折強度である。）で表される結晶配向度Ｆ（００２）およびＦ（１０２）が１２０未満であることを特徴とする金属コード。
【請求項２】
前記亜鉛めっき層表面の、（１０１）面および（１００）面の下記式（３）、（４）、
Ｆ（１０１）＝（Ｒ１（１０１）／Ｒ０（１０１））×１００（％）    （３）
Ｆ（１００）＝（Ｒ１（１００）／Ｒ０（１００））×１００（％）    （４）
（ここで、式（３）中の、Ｒ０（１０１）は、無配向の亜鉛のピーク強度（１０１）面の回折強度＝５６．４であり、Ｒ１（１０１）は、評価サンプルの亜鉛のピーク強度（１０１）面の回折強度であり、式（４）中、Ｒ０（１００）は、無配向の亜鉛のピーク強度（１００）面の回折強度＝１３．２あり、Ｒ１（１００）は、評価サンプルの亜鉛のピーク強度（１００）面の回折強度である。）で表される結晶配向度Ｆ（１０１）およびＦ（１００）が１００以上である請求項１記載の金属コード。
【請求項３】
前記亜鉛めっき層よりも内側に、ブラスめっき層を有する請求項１または２記載の金属コード。
【請求項４】
前記金属フィラメントが、スチールフィラメントである請求項１〜３のうちいずれか一項記載の金属コード。
【請求項５】
請求項１〜４のうちいずれか一項記載の金属コードが、ゴム組成物に埋設されてなることを特徴とする金属コード−ゴム複合体。
【請求項６】
請求項１〜４のうちいずれか一項記載の金属コードを備えたことを特徴とするコンベヤベルト。
【発明の詳細な説明】
【技術分野】
【０００１】
本発明は、金属コード、金属コード複合体およびコンベヤベルトに関し、詳しくは、従来よりも、ゴムとの接着性に優れた金属コード、金属コード−ゴム複合体およびコンベヤベルトに関する。
【背景技術】
【０００２】
コンベヤベルトは、ベルト周方向に沿って補強用のスチールコードが埋設されており、これにより、コンベヤベルトのベルト周方向に沿った引張強度（ベルト強力）が高められている。そして、補強用のスチールコードには、一般に、耐腐食性に優れる亜鉛めっきが施されている。これは、コンベヤベルトが運搬物等による損傷でスチールコードが外気に触れやすく、腐食しやすいためである。しかしながら、亜鉛めっきはゴムとの接着性において、タイヤ等で使用されているブラスめっきよりも劣ることが知られている。【０００３】
このような中、特許文献１では、外周部を構成する複数の最外層フィラメント、およびこれらの最外層フィラメントの内側に位置する内側フィラメントを有するストランドが複数本撚り合わされてなり、複数のストランドのうち、補強用スチールコードの外周部を構成する最外層ストランドの最外層フィラメントに、ブラスめっき処理を施し、最外層ストランドよりも内側に位置する少なくとも１つのフィラメントには、亜鉛めっき処理を施した補強用スチールコードが提案されている。これにより、ゴム物品の補強を確実なものとしつつ、スチールコードとゴムとの接着性を向上させている。
【先行技術文献】
【特許文献】
【０００４】
【特許文献１】特開２０１１−２０２２９１号
【発明の概要】
【発明が解決しようとする課題】
【０００５】
今日、コンベヤベルトにおいては、耐久性のさらなる向上が求められており、スチールコードのような補強用の金属コードとゴムとの接着性の改善について、さらなる検討が求められている。【０００６】
そこで、本発明の目的は、従来よりも、ゴムとの接着性に優れた金属コード、金属コード−ゴム複合体およびコンベヤベルトを提供することにある。
【課題を解決するための手段】
【０００７】
本発明者らは、上記課題を解消するために鋭意検討した結果、下記の知見を得た。すなわち、亜鉛めっきを施したスチールコードを補強材とするコンベヤベルトを用いて走行試験を実施し、最外層スチールフィラメント上の亜鉛めっき表面のミクロ解析をおこなったところ、亜鉛めっき表面で亀裂が発生していることを見出した。そして、その亀裂が発生した亜鉛めっきの表面をさらに観察することにより、結晶配向度が多い（１０２）面の表面で双晶変形が生じているとの知見を得た。かかる知見をもとに、本発明者らは、さらに鋭意検討した結果、亜鉛の結晶構造を所定のものとすることで、上記課題を解消できることを見出し、本発明を完成するに至った。【０００８】
すなわち、本発明の金属コードは、複数本の金属フィラメントが撚り合わされてなる金属コードにおいて、
最外層を構成する前記金属フィラメントの表面に亜鉛めっき層が形成されてなり、前記亜鉛めっき層表面の、（００２）面および（１０２）面の下記式（１）および（２）、
Ｆ（００２）＝（Ｒ１（００２）／Ｒ０（００２））×１００（％）    （１）
Ｆ（１０２）＝（Ｒ１（１０２）／Ｒ０（１０２））×１００（％）    （２）
（ここで、式（１）中の、Ｒ０（００２）は、無配向の亜鉛のピーク強度（００２）面の回折強度＝２２．１であり、Ｒ１（００２）は、評価サンプルの亜鉛のピーク強度（００２）面の回折強度であり、式（２）中、Ｒ０（１０２）は、無配向の亜鉛のピーク強度（１０２）面の回折強度＝８．４あり、Ｒ１（１０２）は、評価サンプルの亜鉛のピーク強度（１０２）面の回折強度である。）で表される結晶配向度Ｆ（００２）およびＦ（１０２）が１２０未満であることを特徴とするものである。【０００９】
本発明の金属コードにおいては、前記亜鉛めっき層表面の、（１０１）面および（１００）面の下記式（３）、（４）、
Ｆ（１０１）＝（Ｒ１（１０１）／Ｒ０（１０１））×１００（％）    （３）
Ｆ（１００）＝（Ｒ１（１００）／Ｒ０（１００））×１００（％）    （４）
（ここで、式（３）中の、Ｒ０（１０１）は、無配向の亜鉛のピーク強度（１０１）面の回折強度＝５６．４であり、Ｒ１（１０１）は、評価サンプルの亜鉛のピーク強度（１０１）面の回折強度であり、式（４）中、Ｒ０（１００）は、無配向の亜鉛のピーク強度（１００）面の回折強度＝１３．２あり、Ｒ１（１００）は、評価サンプルの亜鉛のピーク強度（１００）面の回折強度である。）で表される結晶配向度Ｆ（１０１）およびＦ（１００）が１００以上であることが好ましい。【００１０】
また、本発明の金属コードにおいては、前記亜鉛めっき層よりも内側に、ブラスめっき層を有することが好ましい。さらに、本発明の金属コードにおいては、前記金属フィラメントは、スチールフィラメントであることが好ましい。【００１１】
また、本発明の金属コード−ゴム複合体は、本発明の金属コードが、ゴム組成物に埋設されてなることを特徴とするものである。【００１２】
さらに、本発明のコンベヤベルトは、本発明の金属コードを備えたことを特徴とするものである。
【発明の効果】
【００１３】
本発明によれば、従来よりも、ゴムとの接着性に優れた金属コード、金属コード−ゴム複合体およびコンベヤベルトを提供することができる。
【図面の簡単な説明】
【００１４】
【図１】本発明の一好適な実施の形態に係る金属コードの概略断面図である。
【図２】本発明の他の好適な実施の形態に係る金属コードの概略断面図である。
【発明を実施するための形態】
【００１５】
以下、本発明の金属コードについて、図面を用いて詳細に説明する。
本発明の金属コードは、複数本の金属フィラメントが撚り合わされてなる金属コードである。本発明の金属コードにおいては、撚り構造としては、特に制限はなく、単撚り、層撚り等に限らず、金属フィラメントを撚り合わせて単撚りおよび層撚りの金属コードとし、この金属コードをストランドとして複数本撚り合わせた複撚り構造の金属コードであってもよい。
【００１６】
図１は、本発明の一好適な実施の形態に係る金属コードの概略断面図であり、図２は、本発明の他の好適な実施の形態に係る金属コードの概略断面図である。図１に示す金属コード１０は、２本の金属フィラメント１１が撚り合わされたコア１２の周りに、シース層１３として８本の金属フィラメント１１を撚り合わせてストランド１５とし、このストランド１本の周りに６本のストランド１５を撚り合わせた、７×（２＋８）構造の金属コード１０である。また、図２に示す金属コード２０は、２本の金属フィラメント２１が撚り合わされてなるコア２２の周りに、第１シース層２３として８本の金属フィラメント２１を撚り合わせ、この第１シース層２３の外側に第２シース層２４として１４本の金属フィラメント２１を撚り合わせてストランド２５とし、このストランド１本の周りに、６本のストランド２５を撚り合わせた、７×（２＋８＋１４）構造の金属コード２０である。
【００１７】
本発明の金属コード１０、２０は、最外層を構成する金属フィラメントの表面に亜鉛めっき層１６、２６を有する。このように、亜鉛めっき層１６、２６を設けることで、金属コード１０、２０の耐腐食性を向上させることができる。本発明の金属コード１０、２０においては、亜鉛めっき層１６、２６は、電気亜鉛めっきにて形成すればよい。なお、複撚り構造の金属コードの場合、最外層を構成する金属フィラメントとは、最外層のストランドの最外層の金属フィラメントであり、コアストランドの最外層金属フィラメントは、亜鉛めっき層を設けても、設けなくてもよい。また、本発明の金属コード１０、２０においては、最外層を構成する金属フィラメントに亜鉛めっき層があればよく、それ以外の金属フィラメントの一部にも亜鉛めっき層を設けてもよく、全ての金属フィラメントに亜鉛めっき層を設けてもよい。
【００１８】
本発明の金属コード１０、２０においては、最外層を構成する金属フィラメント上の亜鉛めっき層１６、２６の表面の、（００２）面および（１０２）面の下記式（１）および（２）で表される結晶配向度Ｆ（００２）およびＦ（１０２）が１２０未満である。
Ｆ（００２）＝（Ｒ１（００２）／Ｒ０（００２））×１００（％）    （１）
Ｆ（１０２）＝（Ｒ１（１０２）／Ｒ０（１０２））×１００（％）    （２）
【００１９】
ここで、結晶配向度は、（評価サンプルの亜鉛めっきのピーク高さ）／（無配向の亜鉛ピーク高さ）で表すことができる。具体的には、（００２）面の結晶配向度Ｆ（００２）は、Ｘ線回折装置（ＸＲＤ）を用いて、評価サンプルのＺｎの（００２）面、（１０２）面、（１０１）面、（１００）面の回折強度を測定し、ピーク強度の合計が１００になるようにＲ１（００２）、Ｒ１（１０２）、Ｒ１（１０１）、Ｒ１（１００）を指数化し、（Ｒ１（００２）／Ｒ０（００２））×１００（％）から算出することができる。無配向のＺｎの回折線強度データは、ＮＩＳＴ（アメリカ国立標準技術研究所）を参考にし、Ｒ０（００２）、Ｒ０（１０２）、Ｒ０（１０１）、Ｒ０（１００）をピーク強度の合計が１００になるように指数化している。具体的には、Ｒ０（００２）＝２２．１、Ｒ０（１０２）＝８．４、Ｒ０（１０１）＝５６．４、Ｒ０（１００）＝１３．２である。Ｆ（１０２）もＦ（００２）と同様に算出することができる。
【００２０】
電気亜鉛めっき処理された六方晶の結晶面は、主に、（００２）面、（１０２）面、（１０１）面および（１００）面で構成されている。そして、上述のとおり、電気亜鉛めっきを施したスチールコードを補強材とするコンベヤベルトを用いて走行試験を実施し、最外層スチールフィラメント上の亜鉛めっき表面の亀裂を観察すると、結晶配向度が多い（１０２）面の表面で双晶変形が生じている。すなわち、（００２）面や（１０２）面は、金属フィラメント表面に対して平行に近いため、コンベヤベルトの長手方向に対して変形しやすく、結晶の破壊が発生しやすい。そこで、最外層フィラメントに設けられた亜鉛めっき層１６、２６の表面における、（００２）面と（１０２）面の結晶配向度を１２０未満とし、結晶の破壊を抑制している。好ましくは８０未満である。なお、本発明の金属コードにおいては、（００２）面および（１０２）面の結晶配向度Ｆ（００２）およびＦ（１０２）は、下限は小さいほど好ましいが、０以上であってもよい。
【００２１】
本発明の金属コード１０、２０においては、亜鉛めっき層１６、２６の表面の、（１０１）面および（１００）面の下記式（３）、（４）で表される結晶配向度Ｆ（１０１）およびＦ（１００）が１００以上であることが好ましい。
Ｆ（１０１）＝（Ｒ１（１０１）／Ｒ０（１０１））×１００（％）    （３）
Ｆ（１００）＝（Ｒ１（１００）／Ｒ０（１００））×１００（％）    （４）
【００２２】
ここで、結晶配向度は、（評価サンプルの亜鉛めっきのピーク高さ）／（無配向の亜鉛ピーク高さ）で表すことができる。具体的には、（１０１）面の結晶配向度Ｆ（１０１）は、Ｘ線回折装置（ＸＲＤ）を用いて、評価サンプルのＺｎの（００２）面、（１０２）面、（１０１）面、（１００）面の回折強度を測定し、ピーク強度の合計が１００になるようにＲ１（００２）、Ｒ１（１０２）、Ｒ１（１０１）、Ｒ１（１００）を指数化し、（Ｒ１（１０１）／Ｒ０（１０１））×１００（％）から算出することができる。無配向のＺｎの回折線強度データは、ＮＩＳＴ（アメリカ国立標準技術研究所）を参考にし、Ｒ０（００２）、Ｒ０（１０２）、Ｒ０（１０１）、Ｒ０（１００）をピーク強度の合計が１００になるように指数化している。具体的には、Ｒ０（００２）＝２２．１、Ｒ０（１０２）＝８．４、Ｒ０（１０１）＝５６．４、Ｒ０（１００）＝１３．２である。Ｆ（１００）もＦ（１０１）と同様に算出している。
【００２３】
（１０１）面および（１００）面は、（００２）面や（１０２）面と比較して、金属フィラメント表面に対して垂直に近いため、コンベヤベルトの長手方向に対して変形し難い。そこで、これらの面の結晶配向度を高めることで、亜鉛めっき層１６、２６の表面における結晶の破壊を好適に抑制することができる。
【００２４】
なお、本発明の金属コードにおいては、（１０１）面の結晶配向度Ｆ（１０１）、（１００）面の結晶配向度Ｆ（１００）は、上限は大きいほど好ましいが、本発明の金属コードにおいては、（１０１）面の結晶配向度Ｆ（１０１）は、１７９以下、（１００）面の結晶配向度Ｆ（１００）は７６０以下とすることができる。
【００２５】
本発明の金属コード１０、２０における、最外層を構成する金属フィラメントの表面の亜鉛めっき層１６、２６は、例えば、電気亜鉛めっきにて形成することができる。そして、この場合、亜鉛めっき層の結晶配向は、めっき反応抑制剤を用いることで制御することができる。例えば、めっき反応抑制剤を添加することで、亜鉛めっき層１６、２６の表面の（００２）面および（１０２）面の結晶配向度を小さくすることができ、（１０１）面と（１００）面の結晶配向度を大きくすることができる。めっき反応抑制剤としては、ポリエチレングリコール、サッカリン、不飽和アルコール等を用いることができる。
【００２６】
電気亜鉛めっきに用いる亜鉛めっき浴は、上記めっき反応抑制剤を添加すること以外は、既知の組成のものを用いることができる。例えば、硫酸亜鉛浴や塩化亜鉛浴等、公知のものを用いることができる。硫酸亜鉛浴としては、硫酸亜鉛（７水和物）が５０〜３００ｇ／Ｌ程度で、必要に応じて鉱酸や支持電解質を添加したものを用いることができる。また、塩化亜鉛浴としては、塩化亜鉛（７水和物）が５０〜３００ｇ／Ｌ程度で、必要に応じて鉱酸や支持電解質を添加したものを用いることができる。亜鉛めっき浴の温度については、３０〜７０℃が好ましい。亜鉛めっき浴の温度を３０℃以上とすれば、電気亜鉛めっきにおいて良好な電析効率が得られ、一方、７０℃未満とすることで、エネルギーコストを抑えることができる。また、めっき浴の蒸発を抑制することができるため、めっき浴の濃度管理の点においても有利である。
【００２７】
本発明の金属コード１０、２０においては、金属フィラメントの材質には特に制限はないが、金属フィラメントとしては、スチールフィラメントが、コストや強度の面から好ましい。スチールは、鋼、すなわち、鉄を主成分（金属鋼線の全質量に対する鉄の質量が５０質量％を超える）とする金属をいい、鉄のみで構成されていてもよいし、鉄以外の、例えば、亜鉛、銅、アルミニウム、スズ等の金属を含んでいてもよい。
【００２８】
本発明の金属コード１０、２０としては、亜鉛めっき層１６、２６よりも内側に、ブラスめっき層を有することが好ましい。このような構成とすることで、金属コード１０、２０とゴムとの接着性が向上する。ブラスめっき層は、通常、銅と亜鉛との割合（銅：亜鉛）を、質量基準で６０〜７０：３０〜４０とすることができる。また、ブラスめっき層の層厚は、１００ｎｍ〜３００ｎｍとすることができる。
【００２９】
本発明の金属コードにおいては、金属フィラメント表面上のブラスめっき層は、例えば、金属フィラメント材を、所定の中間線径まで繰り返し乾式伸線を加え（乾式伸線工程）、得られた金属フィラメント材にパテンティング処理を加え（パテンティング処理工程）、パテンティング処理後の金属フィラメント材に銅、亜鉛を順次めっきし、その後熱を加えてブラスとし（ブラスめっき工程）、得られたブラスめっき金属フィラメント材に連続湿式伸線加工を施す（連続湿式伸線工程）ことにより製造することができる。なお、乾式伸線工程、パテンティング処理工程および連続湿式伸線工程は、既知の条件で行うことができ、銅めっき浴および亜鉛めっき浴は既知のものを用い、既知の条件でおこなうことができる。
【００３０】
本発明の金属コード１０、２０においては、最外層を構成する金属フィラメントの表面に亜鉛めっき層１６、２６が形成されてなり、この亜鉛めっき層１６、２６における、（００２）面と（１０２）面の結晶配向度が１２０未満であること以外に特に制限はない。例えば、図１に示す金属コード１０は、７×（２＋８）構造であり、図２に示す金属コード２０では、２＋８＋１４構造のストランド２５を撚り合わせた７×（２＋８＋１４）構造であるが、本発明の金属コードにおいては、コード構造は複撚り構造に限定されることなく、単撚り構造や層撚り構造であってもよい。さらに、金属フィラメント１１、２１の撚りピッチや撚り方向、ストランド１５、２５の撚りピッチや撚り方向についても特に制限はなく、目的に応じて、適宜設定することができる。
【００３１】
次に、本発明の金属コード−ゴム複合体について説明する。
本発明の金属コード−ゴム複合体は、本発明の金属コード１０、２０が、ゴム組成物に埋設されてなるものである。本発明の金属コード−ゴム複合体に係るゴム組成物を構成するゴムについては特に制限はない。例えば、ゴム成分としては、天然ゴム、ポリブタジエンゴム、ポリイソプレンゴム、スチレン−ブタジエン共重合体ゴム、アクリロニトリル−ブタジエン共重合体ゴム、エチレン−プロピレン共重合体ゴム、エチレン−プロピレン−ジエンターポリマーゴム、ブチルゴム、ハロゲン化ブチルゴム、アルキル化クロロスルホン化ポリエチレンゴム、イソブチレン−イソプレン共重合体ゴム、ポリクロロプレンゴム等が挙げられる。本発明の金属コード−ゴム複合体においては、ゴム成分は、一種を単独で用いてもよいし、二種以上組み合わせて用いてもよい。
【００３２】
本発明の金属コード−ゴム複合体においては、上記ゴム成分の他に、本発明の目的を阻害しない範囲で、通常ゴム業界で採用される成分を適宜配合してもよい。その他の成分としては、例えば、硫黄等の加硫剤、シリカやカーボンブラック等の充填剤、プロセスオイル等の油分、加硫促進剤、老化防止剤、軟化剤、酸化亜鉛、および、ステアリン酸等が挙げられる。
【００３３】
本発明の金属コード−ゴム複合体に係るゴム組成物は、これら各成分を、常法により混練りし、熱入れおよび押し出しすること等により製造することができる。
【００３４】
本発明の金属コード−ゴム複合体は、本発明の金属コードを所定の間隔で平行に並べ、この金属コードの上下両側から、上記ゴム組成物からなる厚さ５．０ｍｍ程度の未架橋ゴムシートでコーティングして、これを１６０℃程度の温度で、２０分間程度加硫処理することにより製造することができる。
【００３５】
次に、本発明のコンベヤベルトについて説明する。
本発明のコンベヤベルトは、本発明の金属コードを備えたものであり、特に、本発明の金属コードをコンベヤベルトの周方向の補強材として用いたものである。特に、前述のとおり、本発明の金属コードは、ゴムとの接着性に優れているため、本発明のコンベヤベルトは、耐久性に優れている。なお、本発明のコンベヤベルトは、本発明の金属コードを用いたこと以外は特に制限はなく、既知の構造および材質を用いることができる。
【００３６】
また、本発明のコンベヤベルトの製造方法についても、特に限定はされず、公知の方法によって製造することができる。例えば、コンベヤベルト用ゴム組成物を押出成形（カレンダー等の公知の成形方法）によりシート状に成形し、補強材である本発明の金属コードを芯材として、これを被覆するようにシート状ゴム成形物（コンベヤベルト用ゴム組成物）を貼り合わせた後、常法に従い加硫硬化させることにより得ることができる。
【実施例】
【００３７】
以下、本発明を、実施例を用いてより詳細に説明する。
＜実施例１〜４および比較例＞
線径が０．５２５、０．４６、０．３９５ｍｍの３種のスチールフィラメントを用いて、表１、２に示す構造のスチールコードを作製した。スチールフィラメントにはブラスめっきが施されており、スチールコードの最外層を構成するスチールフィラメントの表面には、亜鉛めっきを施した。亜鉛めっきに使用した亜鉛めっき浴の組成、電気亜鉛めっきの条件は以下のとおりである。なお、結晶配向度Ｆは、めっき反応抑制剤の濃度を変化させて調整した。【００３８】
（亜鉛めっき浴組成）
硫酸亜鉛    ：３００ｇ／Ｌ
硫酸        ：１ｇ／Ｌ
ｐＨ        ：３
めっき反応抑制剤：サッカリン
めっき反応抑制剤濃度：０．５〜３．０ｇ／Ｌ
めっき槽温度：３０℃
電流密度：１２．５Ａ／ｄｍ２【００３９】
得られたスチールフィラメント表面の亜鉛めっき層の表面のＦ（００２）、Ｆ（１０２）、Ｆ（１０１）およびＦ（１００）を、ＸＲＤ装置（ＢＲＵＫＥＲ社製Ｄ８  ＤＩＳＣＯＶＥＲ）を用いて算出した。測定条件は以下のとおりである。得られた結果を表１、２に示す。
（Ｘ線回折測定条件）
Ｘ線源：クロム
出力  ：３８ｋＶ【００４０】
得られたスチールコードを、周方向の補強材としてコンベヤベルトを作製し、以下の手順に従って、走行試験により耐久性を評価した。なお、コンベヤベルトの構造はＳＴ１６００とした。【００４１】
＜走行試験＞
周長１１．６ｍのコンベヤベルトを、プーリー径１２００ｍｍのプーリーに掛け、ベルト速度を２５０ｍ／ｍｉｎ、所定のベルト張力をかけて走行試験を行った。ベルト張力は、最小１５４ｋｇ/コードから４２秒かけて最大１２４６ｋｇ/コードとし、その後、８秒かけて最小１５４ｋｇ/コードとするサイクルを繰り返し行った。結果は、比較例１のコンベヤベルトが故障するまでの時間を１００とする指数とした。この値が大きいほど、コンベヤベルトの耐久性が優れていることを意味する。【００４２】
【表１】
2019240190.tif 000003
【００４３】
【表２】
2019240190.tif 000004
【００４４】
以上より、本発明の金属コードはゴムとの接着性に優れ、特に、コンベヤベルトの補強材として好適であることがわかる。
【符号の説明】
【００４５】
１０、２０  金属コード
１１、２１  金属フィラメント
１２、２２  コア
１３、２３  第１シース層
２４  第２シース増層
１５、２５  ストランド
１６、２６  亜鉛めっき層
【図１】
2019240190.tif 000005
【図２】
2019240190.tif 000006
【国際調査報告】
2019240190.tif 000007
2019240190.tif 000008
2019240190.tif 000009
2019240190.tif 000010